(57)【要約】      （修正有）【課題】建築物の高さ及び幅に応じて互いに対応する外壁構造を積み重ね且つ連結することができる外壁構造を提供する。【解決手段】頂面の間に少なくとも２つの横枠１１が設けられる少なくとも１つの底枠１０と、並列に連結されるとともに、底部及び両側が各底枠及び各横枠にそれぞれ連結される複数の第１板体２０と、並列に連結されるとともに、底面及び両側が各第１板体及び各横枠にそれぞれ連結される複数の第２板体３０と、一面が各第１板体と各第２板体の間の前端面に垂直に連結される少なくとも１つの支柱部品４０と、からなる。第１板体及び第２板体の後端面には、複数の第１連結部品Ａがそれぞれ凸設され、第１連結部品により、第１板体及び第２板体は、建築物の壁に連結される。【選択図】図２
0003219793.tif 000002
【実用新案登録請求の範囲】
【請求項１】
少なくとも１つの底枠と、複数の第１板体と、複数の第２板体と、少なくとも１つの支柱部品と、からなる外壁構造であって、
前記少なくとも１つの底枠の頂面の間には、少なくとも２つの横枠が設けられ、
前記複数の第１板体は、並列に連結されるとともに、底部及び両側が各前記底枠及び各前記横枠にそれぞれ連結され、
前記複数の第２板体は、並列に連結されるとともに、底面及び両側が各前記第１板体及び各前記横枠にそれぞれ連結され、
前記少なくとも１つの支柱部品は、その一面が各前記第１板体の間及び各前記第２板体の間の前端面に垂直に連結されることを特徴とする、外壁構造。
【請求項２】
前記底枠の頂面は、第１段差部を備え、各前記横枠の底面及び各前記第１板体の底面には、前記第１段差部に対応する第２段差部がそれぞれ設けられることを特徴とする、請求項１に記載の外壁構造。
【請求項３】
各前記第１板体及び各前記第２板体の後端面には、複数の第１連結部品がそれぞれ凸設され、各前記第１連結部品により、各前記第１板体及び各前記第２板体は、建築物の壁に連結されることを特徴とする、請求項１に記載の外壁構造。
【請求項４】
各前記第１板体の頂面と各前記第２板体の底面の間には、複数の第２連結部品が設けられることを特徴とする、請求項３に記載の外壁構造。
【請求項５】
各前記第２連結部品は、各前記第１板体及び各前記第２板体の後端面に位置することを特徴とする、請求項４に記載の外壁構造。
【請求項６】
各前記第１板体及び各前記第２板体の後端面には、柱体がさらに垂直に連結されるとともに、前記柱体は、各前記第１板体及び各前記第２板体の間と隣り合うことを特徴とする、請求項４に記載の外壁構造。
【考案の詳細な説明】
【技術分野】
【０００１】
本考案は組み立て式の外壁に関し、特に、建築物の寸法に基づいて加工され且つ組み立てられ、さらに建築物の壁に連結される外壁構造に関する。
【背景技術】
【０００２】
台湾特許第Ｍ５２８３４７号「建築用金属テンプレート」は、主に、外壁にコンクリートの基礎を注ぎ込んで作る取り外し不要の金属テンプレート設計に関し、前記建築用金属テンプレートは、長方形の金属板を建築物の外壁面とし、長方形の金属板は、仕切られた内表面及び外表面を備え、内面表には、凹部が形成され、凹部には、複数のナットが溶接され、凹部の周囲には、周囲壁が形成され、凹部には、複数の補強棒及び複数のナットが設けられ、複数のボルトによって固定されることにより、長方形の金属板と建築物の内側の木製テンプレートの間には、等間隔のグラウトスペースが形成され、長方形の金属板を取り外し不要のテンプレートとすることで、外壁面の構造強度を増加させることができるとともに、長方形の金属板及び木製テンプレートの間に等間隔のグラウトスペースが形成されることで、製造される外壁の厚みをすべて均一且つ同じにすることができる。上述における従来の取り外し不要の設計により、足場を架ける必要がないことで施工スペースを節約することができるとともに、取り外さなければならない不便さも解消される。しかしながら、その寸法は、特別に作らなければならないとともに、ナットは、別に溶接して加工する必要があるため、実施において準備上相当不便である。仮に、あらかじめ準備された前記長方形の金属板の幅の設計が１メートル規格の寸法である場合、事前に注ぎ込まれたコンクリートの外壁の幅が８．５メートルであると、その余分の０．５メートルの寸法は、別に特別に作る必要がある。実施する際、長方形の金属板の凹部は、大型の機具によって折り曲げて成型しなければならないため、施工者は、特殊な寸法幅の長方形の金属板をあらかじめ特別に作り、その金属板に合わせて施工しなければならず、材料の準備において相当不便である。さらに、ナットは、スポット溶接によって固定され施工されるため強度不足が懸念され、グラウトスペースにセメントモルタルを流し込んだ後、ボルトで固定されたナットにかかる荷重によって張力が生じ、ナット溶接接合部に断裂が生じた場合、テンプレートの組み立てにおける安定性に深刻な影響を及ぼす。
【先行技術文献】
【特許文献】
【０００３】
【特許文献１】台湾特許第Ｍ５２８３４７号明細書
【考案の概要】
【考案が解決しようとする課題】
【０００４】
本考案は、建築物の寸法に基づいて加工され且つ組み立てられ、さらに建築物の壁に連結される外壁構造を提供することを目的とする。
【課題を解決するための手段】
【０００５】
上述の欠点を踏まえて、本考案の外壁構造は、頂面の間に少なくとも２つの横枠が設けられる少なくとも１つの底枠と、並列に連結されるとともに、底部及び両側が各前記底枠及び各前記横枠にそれぞれ連結される複数の第１板体と、並列に連結されるとともに、底面及び両側が各前記第１板体及び各前記横枠にそれぞれ連結される複数の第２板体と、一面が各前記第１板体と各前記第２板体の間の前端面に垂直に連結される少なくとも１つの支柱部品と、からなる。これにより、建築物の高さ及び幅に応じて互いに対応する外壁構造を積み重ね且つ連結することができる。
【図面の簡単な説明】
【０００６】
【図１】本考案の斜視外観図である。
【図２】図１を別の角度から見た斜視外観図である。
【図３】本考案の底枠と横枠の一部拡大図である。
【図４】本考案の第１連結部品の一部拡大図である。
【図５】本考案を柱体に取り付けた場合の外観図である。
【考案を実施するための形態】
【０００７】
図１及び図２を参照する。本考案の外壁構造１は、少なくとも１つの底枠１０と、複数の第１板体２０と、複数の第２板体３０と、少なくとも１つの支柱部品４０と、からなり、各部品はそれぞれ以下の通りである。
【０００８】
底枠１０の頂面の間には、少なくとも２つの横枠１１が設けられ、前記底枠１０の頂面は、第１段差部１２を備える。
【０００９】
図１から図３を参照する。第１板体２０は、並列に連結されるとともに、各前記第１板体２０の底部及び両側は、各前記底枠１０及び各前記横枠１１にそれぞれ連結され、そのうち、各前記横枠１１の底面及び各前記第１板体２０の底面には、前記第１段差部１２に対応する第２段差部１１１がそれぞれ設けられる。
【００１０】
第２板体３０は、並列に連結されるとともに、各前記第２板体３０の底面及び両側は、各前記第１板体２０の頂面及び各前記横枠１１にそれぞれ連結される。
【００１１】
各前記横枠１１は、Ｌ型であり、各前記横枠１１の内側は、各前記第１板体２０及び各前記第２板体３０の両側及び前端面にそれぞれ連結される。
【００１２】
図２及び図４を参照する。各前記第１板体２０及び各前記第２板体３０の後端面には、複数の第１連結部品Ａがそれぞれ凸設され、各前記第１連結部品Ａによって、各前記第１板体２０及び各前記第２板体３０を建築物の壁（未図示）に連結することができ、そのうち、各前記第１連結部品Ａは、円柱体であり、前記第１連結部品Ａの中心には、連結孔Ａ１が設けられる。
【００１３】
各前記第１板体２０の頂面と各前記第２板体３０の底面の間には、複数の第２連結部品Ｂが設けられ、各前記第２連結部品Ｂは、各前記第１板体２０及び各前記第２板体３０の後端面に位置する。つまり、各第１板体２０及び各第２板体３０の前端面には、視覚的には各第２連結部品Ｂは見えない。
【００１４】
図５を参照する。各前記第１板体２０及び各前記第２板体３０の後端面には、柱体Ｃがさらに垂直に連結されるととも、前記柱体Ｃは、各前記第１板体２０の間の接合部及び各前記第２板体３０の間の接合部と隣り合い、柱体Ｃは、施工の必要に応じて設置することができ、柱体Ｃを取り付けないこともできる。
【００１５】
支柱部品４０は、Ｔ型であり、その一面は、各前記第１板体２０の間及び各前記第２板体３０の間の前端面に垂直に連結される。
【００１６】
本考案の外壁構造１により事前に加工し組み立てて完成させることができるとともに、その寸法は、建築物に合わせた寸法に応じて加工され且つ組み立てられ、さらに建設現場に運搬されて建築物の壁に連結される。そのうち、第１連結部品Ａの連結孔Ａ１は、壁に連結するためのものであり、これにより、組み立て効率を向上させることができるとともに外壁を整然としたきれいな見た目にする目的が達成される。
【符号の説明】
【００１７】
１      外壁構造
１０    底枠
１１    横枠
１２    第１段差部
２０    第１板体
１１１  第２段差部
３０    第２板体
４０    支柱部品
Ａ      第１連結部品
Ａ１    連結孔
Ｂ      第２連結部品
Ｃ      柱体
【図１】
0003219793.tif 000003
【図２】
0003219793.tif 000004
【図３】
0003219793.tif 000005
【図４】
0003219793.tif 000006
【図５】
0003219793.tif 000007